(57)【要約】      （修正有）【課題】変換効率を向上した電源供給器を提供する。【解決手段】電源供給器Ａは、筐体Ａ２、蓋体Ａ１及び回路基板Ｄから構成される。筐体Ａ２は蓋体Ａ１と相互に組み立てられ、筐体内に収容室Ｂが形成され、収容室Ｂ内にファンＣ及び回路基板Ｄが設置される。回路基板Ｄ上にキャパシタ、インダクタ及び金属酸化トランジスタが設けられる。キャパシタの電気容量が０.１〜１.５μＦであり、高電流、低誘電正接、低等価直列インダクタンス及び低等価直列抵抗を有する。インダクタをオンまたはオフにするとき、インダクタが逆起電力を発生し、キャパシタがインダクタの発生する逆起電力を吸収して利用することができ、ノイズを抑えることができる。【選択図】図２
0003142850.tif 000002
【実用新案登録請求の範囲】
【請求項１】
筐体、蓋体及び回路基板から構成され、前記筐体が前記蓋体と相互に組み立てられ、前記筐体内に収容室が形成され、前記収容室内に前記回路基板が設置され、前記回路基板上にキャパシタ、インダクタ及び金属酸化トランジスタが設けられ、前記キャパシタの電気容量が０.１〜１.５μＦであり、且つ、前記キャパシタが高電圧上昇勾配ｄｖ／ｄｔ＞４０、高電流、低誘電正接、低等価直列インダクタンス及び低等価直列抵抗を有するものである、
ことを特徴とする変換効率を向上した電源供給器。
【請求項２】
前記回路基板は変換効率が１０％以上増加するものであることを特徴とする請求項１に記載の変換効率を向上した電源供給器。
【請求項３】
前記キャパシタは、前記インダクタの発生する逆起電力を迅速に吸収して利用し、前記インダクタ及び前記金属酸化トランジスタを発熱しにくくすると共に、変換効率を増加するものであることを特徴とする請求項１に記載の変換効率を向上した電源供給器。
【考案の詳細な説明】
【技術分野】
【０００１】
本考案は、変換効率を向上した電源供給器に関する。
【背景技術】
【０００２】
一般に従来の電源供給器は、キャパシタの電気容量が０.００１μＦ以下であり、インダクタをオンまたはオフにするとき、キャパシタはインダクタが発生する逆起電力の極めて少ない一部分のみを吸収できるだけである。
【考案の開示】
【考案が解決しようとする課題】
【０００３】
このため、従来の電源供給器では、キャパシタはインダクタが発生する逆起電力を利用することができず、且つ、インダクタ及び金属酸化トランジスタに発熱が生じやすいため、ノイズの除去及び電気エネルギー吸収を行うことができない。
【０００４】
すなわち、従来の電源供給器は、次の欠点を有していた。第１点は、キャパシタはインダクタが発生する逆起電力の極めて少ない一部分のみしか吸収できない。第２点は、上記第１点を受け、インダクタが発生する逆起電力を利用することができない。第３点は、前記第２点を受け、インダクタ及び金属酸化トランジスタが発熱しやすく、ノイズ除去及び電気エネルギー吸収ができない。
【０００５】
そこで、本考案は、いかに上述の問題を排除するかを鑑みてなされたもので、その目的は、変換効率を向上した電源供給器を提供することにある。
【課題を解決するための手段】
【０００６】
請求項１に係る変換効率を向上した電源供給器は、上記課題を解決するために、筐体、蓋体及び回路基板から構成され、前記筐体が前記蓋体と相互に組み立てられ、前記筐体内に収容室が形成され、前記収容室内に前記回路基板が設置され、前記回路基板上にキャパシタ、インダクタ及び金属酸化トランジスタが設けられ、前記キャパシタの電気容量が０.１〜１.５μＦであり、且つ、前記キャパシタが高電圧上昇勾配ｄｖ／ｄｔ＞４０、高電流、低誘電正接、低等価直列インダクタンス及び低等価直列抵抗を有するものであることを特徴とする。
【０００７】
請求項２に係る変換効率を向上した電源供給器は、請求項１に係る変換効率を向上した電源供給器において、前記回路基板が変換効率が１０％以上増加するものとしたことを特徴とするものである。
【０００８】
請求項３に係る変換効率を向上した電源供給器は、請求項１に係る変換効率を向上した電源供給器において、前記キャパシタが、前記インダクタの発生する逆起電力を迅速に吸収して利用し、前記インダクタ及び前記金属酸化トランジスタを発熱しにくくすると共に、変換効率を増加するものとしたことを特徴とするものである。
【考案の効果】
【０００９】
本考案の変換効率を向上した電源供給器によれば、キャパシタが迅速にインダクタの発生する逆起電力を吸収することができる。これにより、インダクタが発生する逆起電力を利用することができる。このため、インダクタ及び金属酸化トランジスタが発熱しにくく、回路のスムーズさを向上できる。よって、電源供給器の効率を１０％以上増加することができる。また、ノイズを抑えることができる。
【考案を実施するための最良の形態】
【００１０】
以下、本考案の実施の形態を図面を参照して説明する。図１は本考案の実施形態に係る変換効率を向上した電源供給器（以下、電源供給器という）の斜視図である。また、図２は実施形態の電源供給器を分解して示す斜視図である。図３は、回路基板に配備された回路のブロック図である。
【００１１】
本考案の図１及び図２に示すように、電源供給器Ａは、筐体Ａ２、蓋体Ａ１及び回路基板Ｄから構成される。電源供給器Ａの筐体Ａ２は、上方及び左右の両側方が開放されている箱体形状をなすもので、蓋体Ａ１と相互に組み立てられる。組み立て後は、蓋体Ａ１が筐体Ａ２の上方及び左右の両側方を塞ぐ。筐体Ａ２の前面にスイッチＡ３、電源挿入孔Ａ４及びスリット状の通風口Ａ５が設けられ、筐体Ａ２の背面側に伝導ケーブルＡ６が設けられる。また、筐体Ａ２の前面と背面との間には中空の収容室Ｂが形成され、筐体Ａ２の収容室Ｂには、筐体Ａ２の通風口Ａ５に対応したファンＣ及び回路基板Ｄが収納される。ファンＣは、回路基板Ｄの動作時に発生する熱を排除するために用いられる。
【００１２】
また、電源供給器ＡのスイッチＡ３は、電源供給器Ａの電源をオンまたはオフにするために用いられる。電源供給器Ａの電源挿入孔Ａ４は電源供給器Ａの電源を供給するために用いられる。また、電源供給器Ａの伝導ケーブルＡ６は給電を必要とする電器設備への接続に用いられる。収容室Ｂの回路基板Ｄは電源供給器Ａにおける電圧変換の回路である。
【００１３】
図３に示すように、回路基板Ｄ上にはキャパシタＤ１、インダクタＤ２及び金属酸化トランジスタＤ３が設置されている。キャパシタＤ１の電気容量は０.１〜１.５μＦであり、かつキャパシタＤ１は、高電圧上昇勾配ｄｖ／ｄｔ＞４０、高電流、低誘電正接、低等価直列インダクタンス及び低等価直列抵抗を有している。このため、インダクタＤ２をオンまたはオフにするときに発生する一時的な逆起電力がキャパシタＤ１を通り迅速に吸収されてこれを利用することができ、且つ、インダクタＤ２及び金属酸化トランジスタＤ３の発熱を抑え、回路のスムーズさを高め、そのノイズを減少することができる。これにより、電源供給器Ａは１０％以上効率を増加することができ、電源供給器Ａの変換効率を９２％にまで高めることができる。
【００１４】
図４は使用時の電源供給器の斜視図である。使用者が電源供給器Ａを使用するときは、まず、電源供給器Ａの伝導ケーブルＡ６と給電を必要とする電器設備Ｅを相互に接続し、電源コードＦの一端を電源供給器Ａの電源挿入孔Ａ４に差し込み、電源コードＦの他端をコンセントＧに差し込んだ後、電源供給器ＡのスイッチＡ３をオンにする。すると、収容室Ｂの回路基板Ｄが作動し、収容室Ｂ内の回路基板Ｄの作動後に発生する熱は収容室ＢのファンＣにより筐体Ａ２の通風口Ａ５から外部に排出され、電源供給器Ａが過熱で故障するのを防ぐことができる。
【００１５】
以上の説明は本考案の最良の実施例に基づくものであり、本考案の実用新案登録請求の範囲を制限するものではなく、本考案の明細書及び図面の内容を運用した同等効果を持つ構造を直接的または間接的にその他関連技術領域に応用したものはすべて、本考案の要旨の範囲内に含まれるものとする。
【図面の簡単な説明】
【００１６】
【図１】本考案の実施形態に係る変換効率を向上した電源供給器の斜視図である。
【図２】実施形態に係る変換効率を向上した電源供給器を分解して示す斜視図である。
【図３】実施形態に係る変換効率を向上した電源供給器の回路のブロック図である。
【図４】使用時の電源供給器の斜視図である。
【符号の説明】
【００１７】
Ａ  電源供給器
Ａ１  蓋体
Ａ２  筐体
Ａ３  スイッチ
Ａ４  電源挿入孔
Ａ５  通風口
Ａ６  伝導ケーブル
Ｂ  収容室
Ｃ  ファン
Ｄ  回路基板
Ｄ１  キャパシタ
Ｄ２  インダクタ
Ｄ３  金属酸化トランジスタ
Ｅ  電器設備
Ｆ  電源コード
Ｇ  コンセント
【図１】
0003142850.tif 000003
【図２】
0003142850.tif 000004
【図３】
0003142850.tif 000005
【図４】
0003142850.tif 000006
【手続補正書】
【提出日】平成20年4月24日(2008.4.24)
【手続補正１】
【補正対象書類名】実用新案登録請求の範囲
【補正対象項目名】全文
【補正方法】変更
【補正の内容】
【実用新案登録請求の範囲】
【請求項１】
筐体、蓋体及び回路基板から構成され、前記筐体が前記蓋体と相互に組み立てられ、前記筐体内に収容室が形成され、前記収容室内に前記回路基板が設置され、前記回路基板上にキャパシタ、インダクタ及び金属酸化トランジスタが設けられ、前記キャパシタの電気容量が０.１〜１.５μＦであるものである、
ことを特徴とする変換効率を向上した電源供給器。
【手続補正２】
【補正対象書類名】明細書
【補正対象項目名】０００６
【補正方法】変更
【補正の内容】
【０００６】
請求項１に係る変換効率を向上した電源供給器は、上記課題を解決するために、筐体、蓋体及び回路基板から構成され、前記筐体が前記蓋体と相互に組み立てられ、前記筐体内に収容室が形成され、前記収容室内に前記回路基板が設置され、前記回路基板上にキャパシタ、インダクタ及び金属酸化トランジスタが設けられ、前記キャパシタの電気容量が０.１〜１.５μＦであるものであることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】